(57)【要約】【課題】長時間の会話中にローバッテリの警告が促されている時にユーザが長時間の会話を維持できるように、自動式省電力会話の仕組みを提供する。【解決手段】自動式省電力会話モード切り替えシステム及びその方法は、単一モード通信システム又は多重モード通信システムの移動通信装置に適用される。会話の間にローバッテリの警告があった場合、ソフトウェアはユーザが通信サービスを続けて受けるため現在の会話モードを省電力モードに自動切り替えすることを決定する。これにより、会話時間を延長することができると共に、電源不足による中断を防止することができる。【選択図】図２ｂ
2007143094.tif 000002
【特許請求の範囲】
【請求項１】
単一モード通信システムの移動通信装置に適用される自動式省電力会話モード切り替え方法であって、
ローバッテリ信号を受信するステップと、
会話モード設定を決定するステップと、
前記会話モード設定がビデオ会議会話モードである時に、モード切り替え設定を決定するステップと、
前記モード切り替え設定が自動に設定されている時に、前記会話モードを前記ビデオ会議会話モードから音声会話モードに切り替えるステップと、
前記モード切り替え設定が手動に設定されている時に、ユーザが選択するための会話モード選択メッセージを送ると共に、前記ユーザの選択に従って前記会話モード設定を前記音声会話モードに切り替えるかどうかを決定するステップを実行するステップと、
を備えていることを特徴とする自動式省電力会話モード切り替え方法。
【請求項２】
前記ローバッテリ信号は、前記移動通信装置の残りのバッテリ電力がプリセット閾値に達した時に発せられる請求項１に記載の自動式省電力会話モード切り替え方法。
【請求項３】
前記会話モード選択メッセージは、会話モード選択領域、会話モードメッセージ領域、及び予想会話時間領域を含んでいる請求項１に記載の自動式省電力会話モード切り替え方法。
【請求項４】
前記予想会話時間領域の前記予想会話時間は、前記残りのバッテリ電力と前記会話モードの電力消費割合から計算されている請求項３に記載の自動式省電力会話モード切り替え方法。
【請求項５】
多重モード通信システムの移動通信装置に適用される自動式省電力会話モード切り替え方法であって、
会話モードのプライオリティテーブルを確立するステップと、
ローバッテリ信号を受信するステップと、
会話モード設定を決定するステップと、
前記会話モード設定と関連するプライオリティを見つけ出すステップと、
前記会話モード設定と関連するプライオリティが最も高くはない時に、モード切り替え設定を決定するステップと、
前記モード切り替え設定が自動に設定されている時に、前記会話モードを現在の会話モードから最も高いプライオリティの会話モードに切り替えるステップと、
前記モード切り替え設定が手動に設定されている時に、前記ユーザが選択するための会話モード選択メッセージを送ると共に、前記ユーザの選択に従って前記会話モードの会話モード設定に切り替えるステップと、
を含むことを特徴とする自動式省電力会話モード切り替え方法。
【請求項６】
前記会話モードのプライオリティテーブルのプライオリティは、前記会話モードの電力消費割合と前記会話モード設定から生成される請求項５に記載の自動式省電力会話モード切り替え方法。
【請求項７】
前記会話モードのプライオリティテーブルは、会話モード設定領域、会話モードメッセージ領域、会話モード電力消費領域、及びプライオリティ領域を備えている請求項５に記載の自動式省電力会話モード切り替え方法。
【請求項８】
前記移動通信装置の残りのバッテリ電力がプリセット閾値に達した時に、前記ローバッテリ信号が発せられる請求項５に記載の自動式省電力会話モード切り替え方法。
【請求項９】
前記会話モード選択メッセージは、会話モード選択領域、会話モードメッセージ領域、及び予想会話時間領域を含んでいる請求項５に記載の自動式省電力会話モード切り替え方法。
【請求項１０】
前記予想会話時間領域の予想会話時間は、前記残りのバッテリ電力と前記会話モードの電力消費割合から計算されている請求項９に記載の自動式省電力会話モード切り替え方法。
【請求項１１】
単一モード通信システムの移動通信装置に適用される自動式省電力会話モード切り替えシステムであって、
残りのバッテリ電力に従ってローバッテリ信号を送るためのローバッテリ検出装置と、
前記ローバッテリ信号が受信された時に会話モード設定を決定すると共に、前記会話モード設定がビデオ会議モードの時にモード切り替え設定を決定する会話モード決定装置と、
前記モード切り替え設定に従って前記ビデオ会議会話モードから音声会話モードに自動又は手動で切り替えさせる会話モード切り替え装置と、
前記モード切り替え設定が自動に設定されている時に、前記会話モード設定が前記ビデオ会議会話モードから前記音声会話モードに自動で切り替えられ、
前記モード切り替え設定が手動に設定されている時に、ユーザが選択するための会話モード選択メッセージを送ると共に、前記ユーザの選択に従って前記会話モードの会話モード設定に切り替えるステップと、
を備えていることを特徴とする自動式省電力会話モード切り替えシステム。
【請求項１２】
前記ローバッテリ信号は、前記移動通信装置の残りのバッテリ電力がプリセット閾値に達した時に発せられる請求項１１に記載の自動式省電力会話モード切り替えシステム。
【請求項１３】
前記会話モード選択メッセージは、会話モード選択領域、会話モードメッセージ領域、及び予想会話時間領域を含んでいる請求項１１に記載の自動式省電力会話モード切り替えシステム。
【請求項１４】
前記予想会話時間領域の前記予想会話時間は、前記残りのバッテリ電力と前記会話モードの電力消費割合から計算されている請求項１３に記載の自動式省電力会話モード切り替えシステム。
【請求項１５】
多重モード通信システムの移動通信装置に適用される自動式省電力会話モード切り替えシステムであって、
残りのバッテリ電力に従ってローバッテリ信号を送るためのローバッテリ検出装置と、
前記ローバッテリ信号が受信され、会話モード設定と関連するプライオリティを見つけ出した時に会話モード設定を決定すると共に、前記会話モード設定が最も高いプライオリティを有していない時にモード切り替え設定を決定するために使用される、会話モードのプライオリティテーブルを有している会話モード決定装置と、
現在の会話モード設定が最も高いプライオリティを有していない時に前記モード切り替え設定に従って所望のプライオリティを有する会話モード設定に自動又は手動で切り替えさせる会話モード切り替え装置と、
前記モード切り替え設定が自動に設定されている時に、会話モード設定が最も高いプライオリティを有する会話モードに自動的に切り替えられ。
前記モード切り替え設定が手動に設定されている時に、ユーザが選択するための会話モード選択メッセージを送ると共に、前記ユーザの選択に従って前記会話モード設定を前記所望のプライオリティを有する会話モードに切り替えることを特徴とする自動式省電力会話モード切り替えシステム。
【請求項１６】
前記会話モードのプライオリティテーブルのプライオリティは、前記会話モードの電力消費割合と前記会話モード設定から生成される請求項１５に記載の自動式省電力会話モード切り替えシステム。
【請求項１７】
前記会話モードのプライオリティテーブルは、会話モード設定領域、会話モードメッセージ領域、会話モード電力消費割合領域、及びプライオリティ領域を備えている請求項１５に記載の自動式省電力会話モード切り替えシステム。
【請求項１８】
前記移動通信装置の残りのバッテリ電力がプリセット閾値に達した時に、前記ローバッテリ信号が発せられる請求項１５に記載の自動式省電力会話モード切り替えシステム。
【請求項１９】
前記会話モード選択メッセージは、会話モード選択領域、会話モードメッセージ領域、及び予想会話時間領域を含んでいる請求項１５に記載の自動式省電力会話モード切り替えシステム。
【請求項２０】
前記予想会話時間領域の予想会話時間は、前記残りのバッテリ電力と前記会話モードの電力消費割合から計算されている請求項１９に記載の自動式省電力会話モード切り替えシステム。
【発明の詳細な説明】
【技術分野】
【０００１】
本発明は、移動通信装置における会話モードの切り替えシステム及びそのための方法に関する。特に、会話中にローバッテリの警告があった時に、そのシステム及び方法が電力消費割合に従って会話モードを切り替えるものである。
【背景技術】
【０００２】
通信システム及び伝送帯域幅のハードウェア及びソフトウェアの絶え間ない進歩に連れて、「多重モード通信システムインテグレーション」及び「ビデオ会議会話モード」は将来の移動通信において主流になりそうである。特に、「多重モード通信システムインテグレーション」は、境界のない通信サービスをユーザに提供することができる。ユーザが移動通信装置を有する限り、ユーザはユーザが行くところはどこでも通信サービスを楽しむことができる。これにより移動通信装置のサービス範囲が拡大される。「ビデオ会議会話モード」は、テキスト及び音声に加えて多くのマルチメディアサービスを提供することができるため、ユーザに期待されている。これらの２つのアプリケーションがこの分野の主流になるという事実は移動通信時代の第３世代において見ることができる（本出願人は公知公用の技術に基づき発明したため、関連する先行技術文献について知らない）。
【発明の開示】
【発明が解決しようとする課題】
【０００３】
しかしながら、ビデオ会議会話モードはバッテリの設計において大きな圧力と制約を課している。従来、移動通信装置の会話サービス中に電力消費量を少なくするための多数の技術手段がある。それにもかかわらず、これらの手段は非常に限定された電力量を節約することができるのみである。そのため、移動通信装置のバッテリの設計において幾つかの飛躍的進歩がなければ、できる限り通信サービス時間を延長するためには、通信中の電力消費を適切に制御する別の方法を見つけることが必要である。
【０００４】
そのため、将来の通信システム及び移動通信装置において、長時間の会話中にローバッテリの警告が促されている時にユーザが長時間の会話を維持できるように、自動式省電力会話の仕組みを提供することが非常に重要である。これにより、電力不足によるサービスの中断を防止することができる。
【課題を解決するための手段】
【０００５】
上記したことを考慮して、本発明は、自動式省電力会話モード切り替えシステム及びその方法を提供する。ソフトウェアは異なる会話モードの間で自動切り替えを実行するために使用される。本発明はユーザに対する通信サービス時間を延長し、電力不足によるサービス中断を防止する。
【０００６】
本発明は、単一モード通信システム又は多重モード通信システムの移動通信装置において使用可能である。基本的に、単一モード通信システムの移動通信装置の第１の実施例による完全な自動式省電力会話モード切り替えシステムは、バッテリ、ローバッテリ検出装置、会話モード決定装置、会話モード切り替え装置、表示装置、及びユーザ会話インターフェースを含んでいる。
【０００７】
多重モード通信システムの移動通信装置の第２の実施例によれば、開示された切り替えシステムの会話モード決定装置は、多重モード通信システムの異なるモード間の切り替えのための会話モードのプライオリティテーブルをさらに付加されている。
【０００８】
ここに開示された自動式省電力会話モード切り替え方法は、第１の実施例では以下のステップを含んでいる。ローバッテリ検出装置からローバッテリ信号が受信されると、移動通信装置の現在の会話モードの設定が決定される。その会話モードがビデオ会議会話モードの場合には、移動通信装置は電力を節約するため音声会話モードに切り替えられる。この時に、移動通信装置の切り替え設定がチェックされる必要がある。それが自動に設定される時だけ、開示されたシステムは自動に切り替えることができる。そのため、使用中のビデオ会議モードはユーザが会話を続けるため自動的に音声会話モードに切り替えられる。しかしながら、切り替え設定が手動に設定されている場合には、開示されたシステムは音声会話モードを選択し、モードを切り替えさせるかどうかをユーザが決定するため、ユーザに対して会話モード選択メッセージを送る。ユーザが音声会話モードに切り替えることを選択した場合には、その後、開示されたシステムは使用中のビデオ会議会話モードから音声会話モードに切り替える。ユーザが音声会話モードに切り替えることを選択しない場合には、その後、そのシステムはビデオ会議モードで会話を維持する。
【０００９】
多重モード通信システムの第２の実施例では、移動通信装置は幾つかの会話モードを提供する。会話モードのそれぞれは事前に計算されたその電力消費割合に従ってプライオリティ及び対応する会話モード設定を有している。第１の実施例との唯一の相違点は、一旦、現在の会話モード設定が知られると、本発明は、先ず、この会話モードのプライオリティを見つけ出す。そのプライオリティが最も高くはない場合、それは使用する消費電力が少ない会話モードにあることを意味する。そのため、モード切り替えが自動に設定されている場合、開示されたシステムは最も高いプライオリティを有する会話モード設定に自動的に切り替わる。モード切り替えが手動に設定されている場合、開示されたシステムはユーザが音声会話モードを選択し、モードを切り替えるかどうかを決定するため、ユーザに会話モード選択メッセージを送る。その後、システムはユーザの選択により所望の会話モードに切り替わる。
【００１０】
上述したシステム及び方法を使用して、本発明は実際に会話サービスの時間を延長する目的を達成することができる。自動切り替えに加えて、本発明はまたユーザに所望の会話モードを選択させる。特に、第２の実施例では、本発明は各種会話モードにおいて残りの電力及び電力消費量を利用し、ユーザに対する各会話モードのための利用可能な残り時間を計算すると共に予想する。その後、ユーザは会話を継続するために最も適切なモードを決定することができる。
【００１１】
本発明のさらなる適用範囲は、以下に与えられた詳細な説明から明らかになるだろう。しかしながら、本発明の精神及び範囲内の各種変更及び修正は当業者にとってこの詳細な説明から明らかとなるだろうから、詳細な説明及び特定の例は、本発明の好適な実施例を示しつつ、例示だけの目的で与えられることを理解すべきである。
【発明を実施するための最良の形態】
【００１２】
本発明は、以下に与えられた詳細な説明から、より十分に理解されるであろうが、これは例示だけであって本発明を限定するものではない。
【００１３】
本発明は単一モード通信システム又は多重モード通信システムの移動通信装置のため省電力会話モード切り替えシステム及びその方法を提供する。
【００１４】
ソフトウェアの実行により、移動通信装置の多くの電力を消費する会話モードによりローバッテリの警告があった時に、インテリジェント決定機構が電力の消費を少なくさせる会話モードに装置を自動的に切り替える。これにより、通信のサービス時間を延長し、電力不足による突然の中断を防止することができる。ユーザがそのような状況において会話モードを決定することができるようにするため、本発明はまた、ユーザが所望な会話モードを手動で選択するための会話モード選択メッセージを提供する。
【００１５】
本発明の第１の実施例の自動式省電力会話モード切り替えシステムは、単一モード通信システムの移動通信装置に適用される。図１ａ及び１ｂを参照頂きたい。
【００１６】
自動式省電力会話モード切り替えシステムは、バッテリ１０、ローバッテリ検出装置２０、会話モード決定装置３０、会話モード切り替え装置４０、表示装置５０、及びユーザ会話インターフェース６０を備えている。
【００１７】
単一モード通信システムは単一通信システムのみを有する移動通信装置として定義される。ここで、単一モード通信システムは、ビデオ会議又は音声方式で会話をユーザに行わせることができる。その基本的な動作原理は図３のフローチャートを参照して説明される。
【００１８】
そのシステムが作動を開始すると、ローバッテリ検出装置２０はバッテリの残りの電力を継続して監視する。移動通信装置のバッテリ１０の電力が不足した時（通常、ローバッテリ検出装置２０において予め設定された閾値により決定される）、ローバッテリ検出装置２０は会話モード決定装置３０にローバッテリ信号を送る（ステップ１００）。会話モード決定装置３０は、先ず、現在の会話モード設定を決定し、切り替えが行われたかどうかを決定する（ステップ１１０）。現在の会話モード設定がビデオ会議会話モードである場合には（ステップ１２０）、その後、それは会話モード設定が電力消費を少なくする音声会話モードに切り替えられる必要があることを示し、そのシステムは次の動作を続行する。その設定が既に音声会話モードの場合には、より少ない電力消費の会話モードはなく、その後、手順はすぐに終了する。
【００１９】
会話モード設定がビデオ会議モードの場合には、会話モード決定装置３０は移動通信装置で予め決定されたモード切り替え設定をさらに決定する（ステップ１３０）。そのモード切り替え設定が自動に設定されている場合（ステップ１４０）、そのシステムは自動的に切り替わる。図１ａを参照すると、会話モード決定装置３０は会話モード切り替え装置４０に対して音声会話モード設定を含む切り替え信号を直接送り、現在使用中のビデオ会議会話モードから音声会話モードに切り替える要求をする（ステップ１５０）。自動切り替え手順が完了した後、ユーザに知らせるため、表示装置５０を介して切り替えメッセージがユーザ会話インターフェース６０に表示される。図１ｂに示されているように、モード切り替え設定が手動に設定されている場合（ステップ１４０）、それはユーザが切り替えを行ったかどうかを決定することを意味する。この時、会話モード決定装置３０は、先ず、ユーザが選択するため、表示装置５０を介してユーザ会話インターフェース６０に会話モード選択メッセージ６５を送る（ステップ１６０）。ユーザはユーザの要求により音声会話モードに切り替えるかどうかを決定する。一度、ユーザが選択を完了すると、会話モード決定装置３０はユーザが音声会話モードに切り替えることを選択するかどうかをさらに決定する（ステップ１７０）。ユーザが音声会話モードに切り替えることを選択した場合には、その後、会話モード決定装置３０は、ステップ１５０のように、会話モード切り替え装置４０に対して音声会話モード設定を含む切り替え信号を送り、元のビデオ会議会話モードから音声会話モードに切り替えることを要求する。そうでなければ、ユーザが選択を行なかった場合、切り替えは行われず、ビデオ会議モードのままとなる。
【００２０】
本発明の第２の実施例によると、自動式省電力会話モード切り替えシステムが多重モード通信システムの移動通信装置に適用される。図２ａ及び２ｂを参照すると、構造は第１の実施例と大体同じである。唯一の相違点は、会話モード決定装置３０が会話モードのプライオリティテーブル３５により確立されることであり、それは多重モード通信システムの会話モードを切り替える要求を満たすために使用される。
【００２１】
多重モード通信システムは、単一モード通信システムに対して、会話のための複数の通信システムの１つを選択する移動通信装置として定義される。幾つかの通信システムは、ユーザに上述した会話モード決定装置３０を使用させ、会話のためビデオ会議会話モード又は音声会話モードを選択させる。その基本的な動作ステップ及び手順は図４を参照して説明される。
【００２２】
第２の実施例は第１の実施例のステップと同様のステップ１００，１１０，１３０，１４０及び１６０を有している。会話中、バッテリ１０が少なくなった場合、ローバッテリ装置２０が会話モード決定装置３０にローバッテリ信号を送る（ステップ１００）。移動通信装置は多重モード通信システムを有しているため、切り替え用の多数の利用可能な会話モードがある。さらにその上、各会話モードの電力消費量は異なる。会話モードのプライオリティテーブル３５は各会話モードのプライオリティ及び対応する会話モード設定を設定するために使用される。ステップ１１０において会話モード設定を得た後、第１の実施例との相違点は、そのシステムが、先ず、会話モード決定装置３０により現在の会話モード設定から会話モード設定のプライオリティを見つけ出すことである（ステップ２００）。会話モード決定装置３０は現在のプライオリティが会話モードのプライオリティテーブル３５の内容に従って最も高いかどうかを決定する（ステップ２１０）。プライオリティが最も高くはない場合には、それは選択のため、さらに少ない電力消費量（すなわち、より高いプライオリティ）の会話モードがあることを意味する。さらに、そのシステムは、自動切り替えを行うかどうかを決定するため、現在のモード切り替え設定を決定する（ステップ１３０）。そのモード切り替え設定が自動に設定されている場合には（ステップ１４０）、図２ａを参照すると、会話モード決定装置３０は最も高いプライオリティの会話モード設定を含む切り替え信号を会話モード切り替え装置０に直接送り、現在の会話モード設定を最も高いプライオリティのものに自動的に切り替える（ステップ２２０）。切り替え手順が完了後、関連する切り替えメッセージが表示装置５０を介してユーザ会話インターフェース６０に表示される。モード切り替え設定が非手動（すなわち、自動）に設定されている場合（ステップ１４０）、図２ｂを参照すると、会話モード決定装置３０は、先ず、第１の実施例のステップ１６０と同様に、ユーザが選択するため、表示装置５０を介してユーザ会話インターフェース６０に会話モード選択メッセージ６５を送る。（しかしながら、会話モード選択メッセージ６５に与えられる会話モードは移動通信装置に利用しやすいそれらに限定される。）その後、そのシステムはユーザが最も高いプライオリティの会話に切り替えることを選択するかどうかを決定する（ステップ２３０）。その場合には、その後、ステップ２２０が実行され、そうでない場合には、会話モード決定装置３０は会話モード切り替え装置４０にユーザが選択した会話モードの会話モード設定を送信し、切り替えを行う（ステップ２４０）。ユーザが選択を行わない場合には、その後も現在の会話モードのままとなる。
【００２３】
図５は会話モードのプライオリティテーブル３５の実施例を示しており、それは、会話モード設定領域３５１、会話モードメッセージ領域３５２、会話モード電力消費領域３５３、及びプライオリティ領域３５４を含んでいる。
【００２４】
会話モード設定領域３５１は、切り替えを行うため、会話モード決定装置３０が会話モード切替え装置４０に送る各会話モード設定の内容を蓄積するために使用される。会話モード切り替え装置４０が既に各種切り替え処理にある場合には、会話モードのプライオリティテーブル３５の会話モード設定領域３５１は会話モード切り替え装置４０に対応する識別値を供給する必要があるだけである。本発明の他の実施例では、前記テーブルは切り替え命令により直接蓄積可能である。本発明はこの点について制限を有していない。会話モードメッセージ領域３５２は、主に、会話モード選択メッセージ６５のメッセージを蓄積するために使用される。会話モード電力消費領域３５３は、そのシステムのための各種利用可能な会話モードの予想電力消費割合を与え、バッテリ１０の残りの電力内の異なる会話モードにおける残りのサービス時間を計算するために使用される。その計算結果は、ユーザの参照のため、会話モード選択メッセージ６５に表示される。プライオリティ領域３５４は、基本的に、異なる会話モードの電力消費割合に従って分類する。原則として、それは、「電力消費が少ないほどプライオリティが高い」である。そのため、会話モードは最も消費電力の少ないモードを選択するプライオリティの値に依存する。
【００２５】
会話モード選択メッセージ６５の実施例は図６に示されている。我々は、例として、WLAN/WCDMA/GSM多重モード通信システムの移動通信装置を使用している。ＷＬＡＮは、ワイアレス・ローカルエリア・ネットワーク（Wireless Local Area Network）の略語であり、WCDMAは、広帯域符号分割多重アクセス(Wideband
Code Division Multiple Access)の略語であり、GSMは、移動通信のためのグローバルシステム（Global System for Mobile Communications）の略語である。会話モード選択メッセージ６５はユーザが選択を行うための会話モード選択領域６５１を含み（現在の会話モードは異なる表示機構により区別可能である）、ユーザが各種会話モードを識別するための会話モードメッセージ領域６５２（会話モードのプライオリティテーブル３５の会話モードメッセージ領域３５２と同じ内容）、及び異なる会話モード後の予想会話時間領域６５３が計算される。そのため、ユーザは所望の会話モードを正確に決定することができる。
【００２６】
上記した会話モード切り替え装置４０の動作は、主に、会話モード設定に含まれる命令又はパラメータを使用し、異なる会話モードインターフェースを動作させて達成される。移動通信装置は、異なる多重モード通信システムが切り替えを行うため、異なる通信システムを有している。この部分は、従来技術に属し、本発明の本質ではない。そのため、ここではこれ以上詳細には説明しない。
【００２７】
上記した本発明は、同一のことが多くの方法で変更可能であることは明らかである。そのような変更は、本発明の精神及び範囲からの逸脱としてみなされるべきではなく、当業者にとって明らかであるすべてのそのような変更は特許請求の範囲内に含まれることを意図している。
【図面の簡単な説明】
【００２８】
【図１ａ】単一モード通信システムで使用される自動式省電力会話モード切り替えシステム及びその方法の第１の実施例のブロック図である。
【図１ｂ】単一モード通信システムで使用される自動式省電力会話モード切り替えシステム及びその方法の第２の実施例のブロック図である。
【図２ａ】多重モード通信システムで使用される自動式省電力会話モード切り替えシステム及びその方法の第１の実施例のブロック図である。
【図２ｂ】多重モード通信システムで使用される自動式省電力会話モード切り替えシステム及びその方法の第２の実施例のブロック図である。
【図３】本発明の第１及び第２の実施例による単一モード通信システムで使用される自動式省電力会話モード切り替えシステム及びその方法のフローチャートである。
【図４】本発明の第１及び第２の実施例による多重モード通信システムで使用される自動式省電力会話モード切り替えシステム及びその方法のフローチャートである。
【図５】本発明の会話モードのプライオリティテーブルを示す図である。
【図６】本発明の会話モード選択メッセージを示す図である。
【図１ａ】
2007143094.tif 000003
【図１ｂ】
2007143094.tif 000004
【図２ａ】
2007143094.tif 000005
【図２ｂ】
2007143094.tif 000006
【図３】
2007143094.tif 000007
【図４】
2007143094.tif 000008
【図５】
2007143094.tif 000009
【図６】
2007143094.tif 000010